(57)【特許請求の範囲】
【請求項１】
第１の表示画面においてユーザが指定した位置を検出する検出手段と、
撮像手段により生成された撮像画像を前記第１の表示画面に表示する表示手段と、
前記撮像画像を外部装置へ送信する送信手段であって、前記外部装置は、前記撮像画像を第２の表示画面に表示し、前記第２の表示画面において前記ユーザが指定した位置を検出するように構成される、送信手段と、
前記検出手段、又は前記外部装置から、前記ユーザが指定した位置に基づく位置情報を取得する取得手段と、
前記位置情報が前記検出手段から取得された場合、前記ユーザが指定した位置が前記第１の表示画面において前記撮像画像の一部に対応する第１の領域内であれば、前記位置情報に基づいて前記撮像画像の部分領域を選択し、
前記位置情報が前記外部装置から取得された場合、前記ユーザが指定した位置が前記第２の表示画面において前記第１の領域と異なる前記撮像画像の第２の領域内であれば、前記位置情報に基づいて前記撮像画像の部分領域を選択する
選択手段と、
を備えることを特徴とする撮像装置。
【請求項２】
前記表示手段は、補助画像を、前記撮像画像に重畳させて前記第１の表示画面に表示し、
前記第１の領域は、前記補助画像の表示レイアウトに応じて決定される
ことを特徴とする請求項１に記載の撮像装置。
【請求項３】
前記補助画像は、前記ユーザが前記検出手段を用いて選択可能な第１のアイコンを含み、
前記第１の領域は、前記第１のアイコンの表示領域を含まない
ことを特徴とする請求項２に記載の撮像装置。
【請求項４】
前記補助画像は、前記ユーザが前記検出手段を用いて選択不可能な第２のアイコンを含み、
前記第１の領域は、前記第２のアイコンの表示領域を考慮せずに決定される
ことを特徴とする請求項２又は３に記載の撮像装置。
【請求項５】
前記第１の領域は、前記補助画像の表示領域を含まない
ことを特徴とする請求項２に記載の撮像装置。
【請求項６】
前記第２の領域は、前記撮像画像の全領域に対応する
ことを特徴とする請求項１乃至５のいずれか１項に記載の撮像装置。
【請求項７】
前記位置情報が前記検出手段から取得された場合、前記表示手段は、前記選択手段で選択された前記部分領域を示す画像を、前記撮像画像に重畳させて前記第１の表示画面に表示する
ことを特徴とする請求項１乃至６のいずれか１項に記載の撮像装置。
【請求項８】
前記位置情報が前記外部装置から取得された場合、前記送信手段は、前記選択手段で選択された前記部分領域を示す情報を前記外部装置へ送信する
ことを特徴とする請求項１乃至７のいずれか１項に記載の撮像装置。
【請求項９】
前記第１の表示画面は、タッチパネルを含み、
前記検出手段は、前記ユーザが前記タッチパネルを用いて指定した位置を検出する
ことを特徴とする請求項１乃至８のいずれか１項に記載の撮像装置。
【請求項１０】
前記選択手段は、前記撮像手段の焦点調節のための領域として、前記撮像画像の部分領域を選択する
ことを特徴とする請求項１乃至９のいずれか１項に記載の撮像装置。
【請求項１１】
撮像装置の制御方法であって、前記撮像装置は、
第１の表示画面においてユーザが指定した位置を検出する検出手段と、
撮像手段により生成された撮像画像を前記第１の表示画面に表示する表示手段と、
前記撮像画像を外部装置へ送信する送信手段であって、前記外部装置は、前記撮像画像を第２の表示画面に表示し、前記第２の表示画面において前記ユーザが指定した位置を検出するように構成される、送信手段と、
を備え、前記制御方法は、
前記撮像装置の取得手段が、前記検出手段、又は前記外部装置から、前記ユーザが指定した位置に基づく位置情報を取得する取得工程と、
前記撮像装置の選択手段が、
前記位置情報が前記検出手段から取得された場合、前記ユーザが指定した位置が前記第１の表示画面において前記撮像画像の一部に対応する第１の領域内であれば、前記位置情報に基づいて前記撮像画像の部分領域を選択し、
前記位置情報が前記外部装置から取得された場合、前記ユーザが指定した位置が前記第２の表示画面において前記第１の領域と異なる前記撮像画像の第２の領域内であれば、前記位置情報に基づいて前記撮像画像の部分領域を選択する
選択工程と、
を備えることを特徴とする制御方法。
【請求項１２】
コンピュータを、請求項１乃至１０のいずれか１項に記載の撮像装置の各手段として機能させるためのプログラム。
【発明の詳細な説明】
【技術分野】
【０００１】
本発明は、撮像装置、その制御方法、及びプログラムに関する。
【背景技術】
【０００２】
デジタルカメラと、スマートフォンやタブレット端末などの携帯端末とを無線接続する技術が広まりつつある。この技術の応用として、ユーザが携帯端末に搭載されたタッチパネルを操作することで、デジタルカメラの撮影機能を遠隔地から制御する技術も広まりつつある。この際、携帯端末のディスプレイにいわゆるビューファインダ画像（ライブビュー画像）を表示し、ディスプレイの特定の領域をユーザがタッチすることにより、その領域に基づくＡＦ及びＡＥを行う技術が知られている（特許文献１参照）。また、デジタルカメラの中にはタッチパネルを搭載したものもあり、デジタルカメラのディスプレイにライブビュー画像を表示し、ディスプレイの特定の領域をユーザがタッチすることにより、その領域に基づくＡＦ及びＡＥを行う技術も知られている。
【先行技術文献】
【特許文献】
【０００３】
【特許文献１】特開２００９−２７３０３３号公報
【発明の概要】
【発明が解決しようとする課題】
【０００４】
デジタルカメラのディスプレイに表示されるライブビュー画像には、ユーザがタッチにより選択可能なアイコンなどの補助画像が重畳表示される場合がある。従って、ライブビュー画像の全領域についてユーザによるタッチに応じてＡＦ及びＡＥを行うと、不都合が生じる可能性がある。
【０００５】
また、デジタルカメラにおけるライブビュー画像の表示形態と、携帯端末におけるライブビュー画像の表示形態とは、必ずしも同じではない。例えば、デジタルカメラにおいては、補助画像がライブビュー画像に重畳表示されるのに対し、携帯端末においては、補助画像とライブビュー画像とがディスプレイの異なる領域に表示される場合がある。従って、ユーザがディスプレイをタッチしたことに応じてＡＦ及びＡＥを行う場合、デジタルカメラのディスプレイであるか携帯端末のディスプレイであるかを考慮しないと、不都合が生じる可能性がある。
【０００６】
上記の問題は、ユーザがＡＦ及びＡＥのためにディスプレイをタッチする場合に限らず、他の目的（例えば、タッチした領域の拡大）のためにディスプレイをタッチする場合にも発生する可能性がある。また、上記の問題は、ユーザがタッチパネルをタッチすることにより領域を指定する場合に限らず、他の方法（例えば、カーソルキーの操作）により領域を指定する場合にも発生する可能性がある。
【０００７】
本発明はこのような状況に鑑みてなされたものであり、撮像画像が表示される表示画面において位置が指定された場合に、位置の指定が撮像装置で行われたか外部装置で行われたかに応じた処理を行う技術を提供することを目的とする。
【課題を解決するための手段】
【０００８】
上記課題を解決するために、本発明は、第１の表示画面においてユーザが指定した位置を検出する検出手段と、撮像手段により生成された撮像画像を前記第１の表示画面に表示する表示手段と、前記撮像画像を外部装置へ送信する送信手段であって、前記外部装置は、前記撮像画像を第２の表示画面に表示し、前記第２の表示画面において前記ユーザが指定した位置を検出するように構成される、送信手段と、前記検出手段、又は前記外部装置から、前記ユーザが指定した位置に基づく位置情報を取得する取得手段と、前記位置情報が前記検出手段から取得された場合、前記ユーザが指定した位置が前記第１の表示画面において前記撮像画像の一部に対応する第１の領域内であれば、前記位置情報に基づいて前記撮像画像の部分領域を選択し、前記位置情報が前記外部装置から取得された場合、前記ユーザが指定した位置が前記第２の表示画面において前記第１の領域と異なる前記撮像画像の第２の領域内であれば、前記位置情報に基づいて前記撮像画像の部分領域を選択する選択手段と、を備えることを特徴とする撮像装置を提供する。
【０００９】
なお、その他の本発明の特徴は、添付図面及び以下の発明を実施するための形態における記載によって更に明らかになるものである。
【発明の効果】
【００１０】
本発明によれば、撮像画像が表示される表示画面において位置が指定された場合に、位置の指定が撮像装置で行われたか外部装置で行われたかに応じた処理を行うことが可能となる。
【図面の簡単な説明】
【００１１】
【図１】第１の実施形態に係るデジタルカメラ２００の使用形態を示す図。
【図２】第１の実施形態に係るデジタルカメラ２００の構成を示すブロック図。
【図３】第１の実施形態に係るスマートフォン３００の構成を示すブロック図。
【図４】第１の実施形態に係る、デジタルカメラ２００が実行する通常撮影処理を示すフローチャート。
【図５】デジタルカメラ２００が通常撮影モードで動作中に表示部２０６に表示される画面例を示す図。
【図６Ａ】第１の実施形態に係る、デジタルカメラ２００が実行するリモート接続処理を示すフローチャート。
【図６Ｂ】第１の実施形態に係る、デジタルカメラ２００及びスマートフォン３００が実行するリモート撮影処理を示すフローチャート。
【図７】デジタルカメラ２００とスマートフォン３００との無線ＬＡＮ接続が完了した時の、スマートフォン３００の画面例を示す図。
【図８】スマートフォン３００がリモート撮影処理を実行中に表示部３０６に表示される画面例を示す図。
【図９】第２の実施形態に係る、デジタルカメラ２００が実行する通常撮影処理を示すフローチャート。
【発明を実施するための形態】
【００１２】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１３】
また、以下に説明する実施形態は、本発明が適用される装置の構成や各種条件によって適宜修正又は変更されてもよい。また、各実施形態を適宜組み合せることも可能である。
【００１４】
［第１の実施形態］
＜＜デジタルカメラ２００の使用形態＞＞
図１は、第１の実施形態に係るデジタルカメラ２００の使用形態を示す図である。図１（ａ）は、通常撮影を行う場合のデジタルカメラ２００の使用形態を示している。図１（ａ）において、撮影者１０１と被写体１０２とはそれぞれ別人物であり、撮影者１０１はデジタルカメラ２００を操作し、被写体１０２を撮影する。
【００１５】
一方、図１（ｂ）は、リモート撮影を行う場合のデジタルカメラ２００の使用形態を示している。図１（ｂ）において、被写体１０２は、被写体であると同時に撮影者でもあり、被写体１０２自身がリモコン装置として機能するスマートフォン３００を操作することにより、撮影を行う。具体的には、被写体１０２は、デジタルカメラ２００とスマートフォン３００とを無線接続し、スマートフォン３００からデジタルカメラ２００を遠隔操作する。被写体１０２は、スマートフォン３００の表示画面を見て、自身がフレーム内に収まっていることを確認した後、スマートフォン３００からデジタルカメラ２００へ撮影を指示する。
【００１６】
＜＜デジタルカメラ２００の構成＞＞
図２は、第１の実施形態に係るデジタルカメラ２００の構成を示すブロック図である。なお、ここでは撮像装置の一例としてデジタルカメラについて述べるが、撮像装置はこれに限られない。例えば、デジタルカメラ２００の代わりに、撮像機能を有する携帯型のメディアプレーヤ、タブレット端末、又はパーソナルコンピュータなどを用いてもよい。
【００１７】
図２において、制御部２０１は、入力された信号や、後述のプログラムなどに従って、デジタルカメラ２００の各部を制御する。なお、制御部２０１が装置全体を制御する代わりに、複数のハードウェアが処理を分担することで、装置全体を制御してもよい。
【００１８】
撮像部２０２は、撮像部２０２に含まれるレンズで結像された被写体光を電気信号に変換し、ノイズ低減処理などを行い、デジタルデータを画像データとして出力する。撮像した画像データは、後述する作業用メモリ２０４内に確保されるバッファメモリに蓄えられた後、制御部２０１により所定の演算処理が行われ、記録媒体２１０に記録される。
【００１９】
なお、撮像部２０２は、デジタルカメラ２００と一体化されている必要はない。例えば、デジタルカメラ２００は、撮像部２０２を備える代わりに、外部の撮像部から撮像画像のデータを取得するように構成されていてもよい。
【００２０】
不揮発性メモリ２０３は、電気的に消去・記録可能な不揮発性のメモリであり、制御部２０１で実行されるプログラム等が格納される。作業用メモリ２０４は、撮像部２０２で撮像された画像データを一時的に保持するバッファメモリや、表示部２０６の画像表示用メモリ、制御部２０１の作業領域等として使用される。
【００２１】
操作部２０５は、デジタルカメラ２００に対する指示をユーザから受け付けるために用いられる。操作部２０５は、例えば、ユーザがデジタルカメラ２００の電源のＯＮ／ＯＦＦを指示するための電源ボタン、撮影を指示するためのレリーズスイッチ、及び、ズーム操作を指示するためのズームレバーなどの操作部材を含む。また、画像データの再生を指示するための再生ボタンなどの操作部材も操作部２０５に含まれる。更に、後述する表示部２０６に形成されるタッチパネルも操作部２０５に含まれる。なお、レリーズスイッチは、ＳＷ１及びＳＷ２を有する。レリーズスイッチが、いわゆる半押し状態となることにより、ＳＷ１がＯＮとなる。これにより、デジタルカメラ２００は、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、デジタルカメラ２００は、撮影を行うための指示を受け付ける。
【００２２】
表示部２０６は、撮影の際のビューファインダ画像の表示、撮影した画像データの表示、及び対話的な操作のための文字表示などを行う。なお、表示部２０６は、必ずしもデジタルカメラ２００が内蔵する必要はない。デジタルカメラ２００は、内部又は外部の表示部２０６と接続することができ、表示部２０６の表示を制御する表示制御機能を少なくとも有していればよい。
【００２３】
記録媒体２１０は、撮像部２０２から出力された画像データを記録することができる。記録媒体２１０は、デジタルカメラ２００に着脱可能なように構成されてもよいし、デジタルカメラ２００に内蔵されていてもよい。即ち、デジタルカメラ２００は、少なくとも記録媒体２１０にアクセスする機能を有していればよい。
【００２４】
接続部２１１は、外部装置と接続するためのインタフェースである。本実施形態のデジタルカメラ２００は、接続部２１１を介して、外部装置とデータのやりとりを行うことができる。なお、本実施形態では、接続部２１１は外部装置と無線ＬＡＮで通信するためのインタフェースを含む。制御部２０１は、接続部２１１を制御することで、デジタルカメラ２００と外部装置との無線通信を実現する。なお、通信方式は無線ＬＡＮに限定されるものではない。
【００２５】
＜＜スマートフォン３００の構成＞＞
図３は、第１の実施形態に係るスマートフォン３００の構成を示すブロック図である。スマートフォン３００は、デジタルカメラ２００を遠隔操作するためのリモコン装置として用いられる。なお、ここではリモコン装置の一例としてスマートフォンについて述べるが、リモコン装置はこれに限られない。例えば、スマートフォン３００の代わりに、無線機能を有するデジタルカメラ、携帯型のメディアプレーヤ、タブレット端末、パーソナルコンピュータ、又は携帯電話などを用いてもよい。
【００２６】
図３において、制御部３０１は、入力された信号や、後述のプログラムなどに従って、スマートフォン３００の各部を制御する。なお、制御部３０１が装置全体を制御する代わりに、複数のハードウェアが処理を分担することで、装置全体を制御してもよい。
【００２７】
撮像部３０２は、撮像部３０２に含まれるレンズで結像された被写体光を電気信号に変換し、ノイズ低減処理などを行い、デジタルデータを画像データとして出力する。撮像した画像データは、後述する作業用メモリ３０４内に確保されるバッファメモリに蓄えられた後、制御部３０１により所定の演算処理が行われ、記録媒体３１０に記録される。
【００２８】
不揮発性メモリ３０３は、電気的に消去・記録可能な不揮発性のメモリであり、制御部３０１で実行されるプログラム等が格納される。デジタルカメラ２００と通信するためのプログラムも不揮発性メモリ３０３に保持され、カメラ通信アプリケーションとしてスマートフォン３００にインストールされているものとする。なお、本実施形態におけるスマートフォン３００の処理は、カメラ通信アプリケーションとして提供されるプログラムを制御部３０１が不揮発性メモリ３０３から読み込んで実行することにより実現される。また、カメラ通信アプリケーションは、スマートフォン３００にインストールされたＯＳ（オペレーティングシステム）の基本的な機能を利用するためのプログラムを有しているものとする。なお、スマートフォン３００のＯＳが本実施形態における処理を実現するためのプログラムを有していてもよい。
【００２９】
作業用メモリ３０４は、撮像部３０２で生成された画像データを一時的に保持するバッファメモリや、表示部３０６の画像表示用メモリ、制御部３０１の作業領域等として使用される。
【００３０】
操作部３０５は、スマートフォン３００に対する指示をユーザから受け付けるために用いられる。操作部３０５は、例えば、ユーザがスマートフォン３００の電源のＯＮ／ＯＦＦを指示するための電源ボタン、及び、表示部３０６に形成されるタッチパネルなどの操作部材を含む。
【００３１】
表示部３０６は、画像データの表示、及び、対話的な操作のための文字表示などを行う。なお、表示部３０６は、必ずしもスマートフォン３００が内蔵する必要はない。スマートフォン３００は、内部又は外部の表示部３０６と接続することができ、表示部３０６の表示を制御する表示制御機能を少なくとも有していればよい。
【００３２】
記録媒体３１０は、撮像部３０２から出力された画像データを記録することができる。記録媒体３１０は、スマートフォン３００に着脱可能なように構成されてもよいし、スマートフォン３００に内蔵されていてもよい。即ち、スマートフォン３００は、少なくとも記録媒体３１０にアクセスする機能を有していればよい。
【００３３】
接続部３１１は、外部装置と接続するためのインタフェースである。本実施形態のスマートフォン３００は、接続部３１１を介して、外部装置とデータのやりとりを行うことができる。なお、本実施形態では、接続部３１１は外部装置と無線ＬＡＮで通信するためのインタフェースを含む。制御部３０１は、接続部３１１を制御することで、スマートフォン３００と外部装置との無線通信を実現する。なお、通信方式は無線ＬＡＮに限定されるものではない。
【００３４】
公衆網接続部３１２は、公衆無線通信を行う際に用いられるインタフェースである。スマートフォン３００は、公衆網接続部３１２を介して、他の機器と通話をしたり、データ通信をしたりすることができる。通話の際には、制御部３０１は、マイク３１３及びスピーカ３１４を介して音声信号の入力と出力を行う。本実施形態では、公衆網接続部３１２は、いわゆる３Ｇ準拠の通信を行うためのインタフェースを含むものとする。なお、スマートフォン３００は、３Ｇに限らず、ＬＴＥやＷｉＭＡＸ、ＡＤＳＬ、ＦＴＴＨ、いわゆる４Ｇといった他の通信方式を用いてもよい。また、接続部３１１及び公衆網接続部３１２は、必ずしも独立したハードウェアで構成する必要はない。例えば、接続部３１１及び公衆網接続部３１２は、１つのアンテナを兼用してもよい。
【００３５】
＜＜通常撮影処理＞＞
図４は、第１の実施形態に係る、デジタルカメラ２００が実行する通常撮影処理を示すフローチャートである。なお、本フローチャートに示す各ステップの処理は、特に断らない限り、デジタルカメラ２００の制御部２０１が入力信号やプログラムに従い、デジタルカメラ２００の各部を制御することにより実現される。本フローチャートの処理は、ユーザが電源ボタン操作などによりデジタルカメラ２００に対して起動を指示したことに応じて開始される。
【００３６】
Ｓ４０１で、制御部２０１は、デジタルカメラ２００を通常撮影モードで起動させる。デジタルカメラ２００が起動すると、制御部２０１は、撮像部２０２により生成された撮像画像を、表示部２０６にライブビュー画像として表示する。
【００３７】
Ｓ４０２で、制御部２０１は、操作部２０５の操作を通じてユーザによりズーム操作が行われたか否かを判定する。ズーム操作が行われた場合、制御部２０１は処理をＳ４０３に進める。ズーム操作が行われなかった場合、制御部２０１は処理をＳ４０４に進める。
【００３８】
Ｓ４０３で、制御部２０１は、現在のズーム位置を記憶する。具体的には、制御部２０１は、撮像部２０２からズーム位置の情報を取得し、作業用メモリ２０４に記憶する。記憶したズーム位置の使用方法については、後述のリモート撮影処理において説明する。その後、制御部２０１は処理をＳ４０２に戻す。
【００３９】
Ｓ４０４で、制御部２０１は、操作部２０５の一部として表示部２０６に形成されたタッチパネルがユーザによってタッチされた否かを判定する。タッチパネルがタッチされた場合、制御部２０１は処理をＳ４０５へ進める。タッチパネルがタッチされなかった場合、制御部２０１は処理をＳ４１０に進める。
【００４０】
なお、本実施形態では、ユーザはタッチパネルをタッチすることにより表示部２０６における位置（座標）の指定を行うものとするが、位置を指定する方法はこれに限定されない。例えば、ユーザは、操作部２０５に含まれるカーソルキー及び決定キーを用いて位置を指定してもよい。
【００４１】
Ｓ４０５で、制御部２０１は、タッチパネルが出力する情報に基づいてタッチされた座標（タッチ座標）を検出し、タッチ座標の情報（位置情報）を取得する。Ｓ４０６で、制御部２０１は、Ｓ４０５で取得したタッチ座標が、フォーカス枠設定が有効な範囲内（第１の領域内）であるか否かを判定する。
【００４２】
ここで、フォーカス枠設定の有効範囲について説明する。図５は、デジタルカメラ２００が通常撮影モードで動作中に表示部２０６に表示される画面例を示す図である。５０１は、デジタルカメラ２００の表示部２０６（第１の表示画面）上に表示されるライブビュー画像を示す。５０２及び５０３は、タッチ操作によって機能が発動するアイコン（第１のアイコン）を示す。アイコン５０２及び５０３は、タッチ可能であることを丸角の矩形で表現している。５０４は、撮影モードを表すアイコン（第２のアイコン）である。アイコン５０４は、アイコン５０２及び５０３と異なり、丸角の矩形を含まず、これにより、タッチしても機能が発動しないことを表現している。
【００４３】
本実施形態では、アイコン５０２及び５０３のように、タッチにより所定の機能が発動するアイコンがタッチされる可能性を考慮し、デジタルカメラ２００は、フォーカス枠（焦点調節のための領域）が設定可能な領域（有効範囲）を予め設定している。図５では、５０５により示される点線枠が、タッチ操作によってフォーカス枠が設定可能な領域（有効範囲）を表している。有効範囲５０５の外側をユーザがタッチしても、フォーカス枠を設定することはできない。なお、有効範囲５０５を示す点線枠は、実際にライブビュー画像５０１上に表示されなくても構わない。５０６は、ユーザによってライブビュー画像５０１上をタッチされたことによって設定されたフォーカス枠を示す。フォーカス枠５０６は、ユーザが有効範囲５０５の内部をタッチすることにより設定され表示される。
【００４４】
以上のように、ライブビュー画像５０１上に有効範囲５０５を設けることで、ユーザがタッチ操作可能なアイコンを誤操作することなくフォーカス枠を設定することが可能となる。なお、本実施形態では、図５に示すようにライブビュー画像５０１の外周部分を除いた部分を有効範囲５０５として予め設定したが、有効範囲５０５はこれに限定されない。例えば、タッチ操作可能なアイコンが表示された領域のみをフォーカス枠が設定できない領域とし、それ以外の領域を有効範囲５０５として予め設定してもよい。
【００４５】
図４に戻り、Ｓ４０６においてタッチ座標が有効範囲５０５内であると判定された場合、制御部２０１は処理をＳ４０７に進める。他方、Ｓ４０６においてタッチ座標が有効範囲５０５内でないと判定された場合、制御部２０１は処理をＳ４０８に進める。
【００４６】
Ｓ４０７で、制御部２０１は、タッチ座標を中心にフォーカス枠を設定し、表示部２０６にフォーカス枠を表示する。なお、本実施形態では、タッチ座標に基づいてフォーカス枠が設定されるものとして説明を行うが、Ｓ４０７において行われる処理はフォーカス枠の設定に限定されない。例えば、制御部２０１は、タッチ座標に基づいて撮像画像の部分領域を選択し、選択した部分領域を拡大表示してもよい。より一般化して言えば、制御部２０１は、タッチ座標に基づいて、何らかの目的のために撮像画像の部分領域を選択することができる。
【００４７】
一方、処理がＳ４０６からＳ４０８に進んだ場合、制御部２０１は、タッチ座標がタッチ可能なアイコン（機能アイコン）内か否かを判定する。タッチ座標が機能アイコン内である場合、制御部２０１は処理をＳ４０９に進める。タッチ座標が機能アイコン内でない場合、制御部２０１は処理をＳ４１０に進める。
【００４８】
Ｓ４０９で、制御部２０１は、タッチされたアイコンに対応する機能を発動させ、その機能に応じた処理を行う。一例として、制御部２０１は、撮影設定処理を行う。撮影設定処理とは、ＡＦ（オートフォーカス）処理、ＡＥ（自動露出）処理、ＡＷＢ（オートホワイトバランス）処理、ＥＦ（フラッシュプリ発光）処理、ライブビュー画像の拡大率等の設定処理などを示す。
【００４９】
Ｓ４１０で、制御部２０１は、ユーザにより撮影指示が行われたか否かを判定する。撮影指示が行われた場合、制御部２０１は処理をＳ４１１に進める。撮影指示が行われなかった場合、制御部２０１は処理をＳ４１２に進める。
【００５０】
Ｓ４１１で、制御部２０１は、撮影処理を行う。具体的には、制御部２０１は、撮像部２０２を制御して被写体の撮影を行い、撮像データを作業用メモリ２０４へ展開する。その後、制御部２０１は、作業用メモリ２０４へ展開された撮像データに対して画像処理を行い、生成した静止画データを記録媒体２１０へ記録する。その後、制御部２０１は処理をＳ４０２に戻す。
【００５１】
一方、処理がＳ４１０からＳ４１２に進んだ場合、制御部２０１は、ユーザによる操作部２０５の操作を通じて再生モードへの遷移が指示されたか否かを判定する。再生モードへの遷移が指示された場合、制御部２０１は、デジタルカメラ２００を再生モードへ遷移させる。再生モードへの遷移が指示されなかった場合、制御部２０１は処理をＳ４０２に戻す。
【００５２】
以上の通り、デジタルカメラ２００は、通常撮影モードの場合、フォーカス枠の設定の有効範囲を、ライブビュー画像の一部の領域に制限する。これにより、アイコンの誤操作などが抑制される。
【００５３】
＜＜リモート接続処理＞＞
図６Ａは、第１の実施形態に係る、デジタルカメラ２００が実行するリモート接続処理を示すフローチャートである。なお、本フローチャートに示す各ステップの処理は、特に断らない限り、デジタルカメラ２００の制御部２０１が入力信号やプログラムに従い、デジタルカメラ２００の各部を制御することにより実現される。本フローチャートの処理は、デジタルカメラ２００の起動中に、ユーザが操作部２０５によりデジタルカメラ２００に対してリモート接続モードへの遷移を指示したことに応じて開始される。
【００５４】
Ｓ６０２で、制御部２０１は、撮像部２０２を制御して鏡筒を沈胴させる。これは、その後の処理で無線通信を行うための準備であり、無線通信と鏡筒の繰り出し／沈胴処理をシーケンス的に排他し、ピークの消費電力を抑えるためである。その後、制御部２０１は処理をＳ６０３へ進める。
【００５５】
Ｓ６０３で、制御部２０１は、スマートフォン３００と無線ＬＡＮ接続を行う。無線ＬＡＮ接続は、制御部２０１が接続部２１１を制御することで実現される。Ｓ６０３の処理は、制御部２０１が無線ネットワークとの接続を確立する無線ＬＡＮ接続処理と、相手機器（スマートフォン３００）との通信セッションを確立する機器接続処理とを含む。具体例として、制御部２０１は、まず周辺の無線ネットワークの検索を行い、接続する無線ネットワークが存在するか確認する。その後、制御部２０１は、所望の無線ネットワークへの無線ＬＡＮ接続処理を行い、ＩＰアドレスの設定処理を実行する。なお、制御部２０１は、既存の無線ネットワークに接続する代わりに、無線ネットワークを新たに生成し、スマートフォン３００を制御部２０１が生成した無線ネットワークに参加させてもよい。無線ネットワークへの接続後、制御部２０１は、接続した無線ネットワーク上で、接続相手の検索を行う。機器の検索は、ＵＰｎＰ(Universal Plug and Play)やｍＤＮＳ(Multicast DNS)等の機器検索プロトコルにより実現される。制御部２０１は、機器検索プロトコルにより発見された接続相手の一覧を表示部２０６に表示し、操作部２０５を通じてユーザによる接続相手の選択を受け付ける。ここでは、スマートフォン３００が発見され、接続相手として選択されたものとする。その後、制御部２０１は、スマートフォン３００との間で通信セッションを確立するための機器接続処理を行う。
【００５６】
Ｓ６０４で、制御部２０１は、スマートフォン３００からリモート撮影要求を受信したか否かを判定する。リモート撮影要求の送受信について、図７を参照して説明する。図７は、Ｓ６０３においてデジタルカメラ２００とスマートフォン３００との無線ＬＡＮ接続が完了した時の、スマートフォン３００の画面例を示す。ユーザは、スマートフォン３００の操作部３０５を操作することにより、メニュー項目７０１又は７０２を選択することができる。メニュー項目７０１が選択された場合、スマートフォン３００の制御部３０１は、接続部３１１を制御することにより、画像閲覧要求をデジタルカメラ２００へ送信する。画像閲覧要求については、図６ＡのＳ６０９を参照して後述する。メニュー項目７０２が選択された場合、スマートフォン３００の制御部３０１は、接続部３１１を制御することにより、リモート撮影要求をデジタルカメラ２００へ送信する。このリモート撮影要求は、図６ＡのＳ６０４において、デジタルカメラ２００により受信される。
【００５７】
図６Ａに戻り、Ｓ６０４においてリモート撮影要求が受信された場合、制御部２０１は処理をＳ６０５に進める。リモート撮影要求が受信されなかった場合、制御部２０１は処理をＳ６０９に進める。
【００５８】
Ｓ６０５で、制御部２０１は、図４のＳ４０３においてズーム位置が作業用メモリ２０４に記憶されているか否かを判定する。ズーム位置が記憶されている場合、制御部２０１は処理をＳ６０６に進める。ズーム位置が記憶されていない場合、制御部２０１は処理をＳ６０７に進める。
【００５９】
Ｓ６０６で、制御部２０１は、作業用メモリ２０４から記憶しているズーム位置を読み出し、撮像部２０２を制御することで鏡筒を記憶していたズーム位置まで移動させる。これにより、図４のＳ４０３において記憶したズーム位置を復元させることが可能となり、リモート撮影開始前に被写体が適切にフレーム内に収まるように設定したズーム位置から、リモート撮影を開始することができる。なお、作業用メモリ２０４に記憶しているズーム位置が光学ズーム位置ではなくデジタルズーム位置だった場合は、光学ズームの望遠端まで鏡筒を移動させるようにし、デジタルズーム処理を行わないようにすることも可能である。デジタルズーム処理を用いると、デジタルカメラ２００側、もしくはスマートフォン３００側での画像の切り出し処理が必要になる。ライブビュー画像の１フレーム毎に切り出し処理を行うと、フレームレートが低下する可能性があるため、それを回避するために上記対応を行うことも可能である。或いは、図４のＳ４０３において、ズーム位置がデジタルズーム位置である場合に、制御部２０１が光学ズームの望遠端のズーム位置を記憶することにより、デジタルズーム位置を記憶しないようにすることも可能である。
【００６０】
他方、ズーム位置が記憶されていない場合、Ｓ６０７で、制御部２０１は、撮像部２０２を制御することで鏡筒をデフォルトのズーム位置まで移動させる。
【００６１】
Ｓ６０８で、制御部２０１は、リモート撮影接続処理を行う。具体的には、制御部２０１は、撮影パラメータ、バッテリ残量、撮影可能枚数などの各種パラメータを生成するために、作業用メモリ２０４から設定を読み出す。その後、制御部２０１は、撮影パラメータを撮像部２０２に設定し、ライブビュー画像の生成を開始する。また、制御部２０１は、接続部２１１を制御して、スマートフォン３００へ撮影パラメータ、バッテリ残量、撮影可能枚数などの各種パラメータを送信し、デジタルカメラ２００をリモート撮影モードへと切り替える。
【００６２】
一方、Ｓ６０４においてリモート撮影要求が受信されなかった場合、Ｓ６０９で、制御部２０１は、スマートフォン３００から画像閲覧要求を受信したか否かを判定する。画像閲覧要求は、図７のメニュー項目７０１が選択された場合に、スマートフォン３００がデジタルカメラ２００に対して送信する。画像閲覧要求が受信された場合、制御部２０１は処理をＳ６１０に進める。画像閲覧要求が受信されなかった場合、制御部２０１は処理をＳ６０４に戻す。
【００６３】
Ｓ６１０で、制御部２０１は、画像転送接続処理を行う。具体的には、制御部２０１は、記録媒体２１０に記録されている画像情報の一覧を、接続部２１１を介してスマートフォン３００へ送信し、デジタルカメラ２００を画像転送モードへと切り替える。これにより、スマートフォン３００からデジタルカメラ２００の画像を閲覧することが可能となる。
【００６４】
＜＜リモート撮影処理＞＞
図６Ｂは、第１の実施形態に係る、デジタルカメラ２００及びスマートフォン３００が実行するリモート撮影処理を示すフローチャートである。図６Ｂの左側は、スマートフォン３００の処理を示し、図６Ｂの右側は、デジタルカメラ２００の処理を示す。なお、スマートフォン３００が実行する各ステップの処理は、特に断らない限り、スマートフォン３００の制御部３０１が入力信号やプログラムに従い、スマートフォン３００の各部を制御することにより実現される。同様に、デジタルカメラ２００が実行する各ステップの処理は、特に断らない限り、デジタルカメラ２００の制御部２０１が入力信号やプログラムに従い、デジタルカメラ２００の各部を制御することにより実現される。本フローチャートの処理は、図６ＡのＳ６０８においてリモート撮影接続処理が行われた後に開始する。
【００６５】
リモート撮影が通常撮影と異なる点は、図５と図８とを比較すると理解できるように、アイコンが、ライブビュー画像に重畳表示されず、ライブビュー画像とは別の領域に表示される点である。従って、リモート撮影の場合、ライブビュー画像のどの領域がタッチされても、フォーカス枠の設定が可能となっている。
【００６６】
図８は、スマートフォン３００がリモート撮影処理の実行中に表示部３０６に表示される画面例を示す図である。図８において、８０１は、スマートフォン３００の表示部３０６（第２の表示画面）上に表示されるライブビュー画像を示す。８０２は、撮影パラメータを変更する場合に選択する設定ボタンを示す。８０３は、スマートフォン３００の操作部３０５に含まれるシャッターボタンを示す。ユーザは、シャッターボタン８０３をタッチすることで、デジタルカメラ２００に対して撮影指示を行うことが可能である。８０４は、ライブビュー画像８０１上の任意の被写体をタッチすることで表示されるフォーカス枠を示す。ライブビュー画像８０１上にはタッチ操作によって機能が発動するアイコンやボタンなどがないため、ライブビュー画像８０１上の全領域（第２の領域）においてタッチ操作によるフォーカス枠設定が可能である。このように、スマートフォン３００におけるフォーカス枠設定の有効範囲（第２の領域）は、デジタルカメラ２００におけるフォーカス枠設定の有効範囲（第１の領域）とは異なる。
【００６７】
なお、本実施形態では、スマートフォン３００において、ライブビュー画像８０１上の全領域がフォーカス枠設定の有効範囲であるものとして説明を行うが、有効範囲はこれに限定されない。ライブビュー画像８０１の一部の領域だけが有効範囲であってもよい。
【００６８】
図６Ｂに戻り、スマートフォン３００の動作について説明する。Ｓ６５１で、制御部３０１は、表示部３０６に表示されているライブビュー画像上がユーザによってタッチされたか否かを判定する。ここでのタッチは、操作部３０５に含まれるタッチパネルを通じて行われる。ライブビュー画像がタッチされた場合、制御部３０１は処理をＳ６５２へ進める。ライブビュー画像がタッチされていない場合、制御部３０１は処理をＳ６５４へ進める。
【００６９】
Ｓ６５２で、制御部３０１は、タッチされた座標の情報（タッチ座標）を取得する。Ｓ６５３で、制御部３０１は、接続部３１１を介してタッチ座標をデジタルカメラ２００へと送信する。
【００７０】
Ｓ６５４で、制御部３０１は、接続部３１１を介して、デジタルカメラ２００に対してライブビュー画像を要求する。Ｓ６５５で、制御部３０１は、接続部３１１を介して、デジタルカメラ２００から、ライブビュー画像とフォーカス枠情報とを受信する。フォーカス枠情報は、枠の大きさ、位置、色、形、数などを示す情報である。なお、フォーカス枠が未設定の場合、フォーカス枠情報は取得されない（或いは、フォーカス枠が未設定であることを示すフォーカス枠情報が取得される）。
【００７１】
Ｓ６５６で、制御部３０１は、Ｓ６５５で取得したライブビュー画像を表示部３０６に表示する。また、制御部３０１は、Ｓ６５５で取得したフォーカス枠情報に基づき、フォーカス枠を表示する。なお、フォーカス枠が未設定の場合、フォーカス枠は表示されない。
【００７２】
Ｓ６５７で、制御部３０１は、ユーザにより撮影指示が行われたか否かを判定する。撮影指示が行われた場合、制御部３０１は処理をＳ６５８へ進める。撮影指示が行われなかった場合、制御部３０１は処理をＳ６５１に戻す。
【００７３】
Ｓ６５８で、制御部３０１は、接続部３１１を介して、デジタルカメラ２００に対して撮影指示を送信する。その後、制御部３０１は処理をＳ６５１に戻す。
【００７４】
次に、デジタルカメラ２００の動作について説明する。Ｓ６８１で、制御部２０１は、スマートフォン３００からタッチ座標を受信したか否かを判定する。ここで受信されるタッチ座標は、Ｓ６５３においてスマートフォン３００が送信したものである。タッチ座標が受信された場合、制御部２０１は処理をＳ６８２へ進める。タッチ座標が受信されなかった場合、制御部２０１は処理をＳ６８４へ進める。
【００７５】
Ｓ６８２で、制御部２０１は、Ｓ６８１において受信されたタッチ座標を、デジタルカメラ２００のタッチパネルの座標系に対応するタッチ座標に変換する。なお、この変換は、スマートフォン３００側で行い、変換後のタッチ座標をスマートフォン３００からデジタルカメラ２００へ送信してもよい。
【００７６】
Ｓ６８３で、制御部２０１は、タッチ座標を中心にフォーカス枠の位置を決定する。ここでは、制御部２０１は、デジタルカメラ２００の座標系とスマートフォン３００の座標系の両方について、フォーカス枠の位置を決定する。なお、制御部２０１がスマートフォン３００の座標系のフォーカス枠の位置を決定する代わりに、スマートフォン３００がデジタルカメラ２００の座標系のフォーカス枠の位置に基づいてスマートフォン３００の座標系のフォーカス枠の位置を算出してもよい。
【００７７】
Ｓ６８４で、制御部２０１は、スマートフォン３００からライブビュー画像を要求されたか否かを判定する。ここでの要求は、Ｓ６５４においてスマートフォン３００が行ったものである。ライブビュー画像が要求された場合、制御部２０１は処理をＳ６８５へ進める。ライブビュー画像が要求されていない場合、制御部２０１は処理をＳ６８６へ進める。
【００７８】
Ｓ６８５で、制御部２０１は、ライブビュー画像とフォーカス枠情報とをスマートフォン３００へ送信する。フォーカス枠情報は、Ｓ６８３において決定されたフォーカス枠の位置を示す情報を含む。ここで送信される情報は、Ｓ６５５においてスマートフォン３００により受信される。
【００７９】
Ｓ６８６で、制御部２０１は、スマートフォン３００から撮影指示を受信したか否かを判定する。ここで受信される撮影指示は、Ｓ６５８においてスマートフォン３００が送信したものである。撮影指示が受信された場合、制御部２０１は処理をＳ６８７へ進める。撮影指示が受信されなかった場合、制御部２０１は処理をＳ６８１に戻す。
【００８０】
Ｓ６８７で、制御部２０１は、撮影処理を行う。ここでの処理は、図４のＳ４１１と同様である。その後、制御部２０１は処理をＳ６８１に戻す。
【００８１】
以上説明したように、第１の実施形態によれば、デジタルカメラ２００は、デジタルカメラ２００又はスマートフォン３００のタッチパネルにおけるタッチ座標を取得する。そして、デジタルカメラ２００は、タッチ座標がフォーカス枠設定の有効範囲内であれば、タッチ座標に基づいてフォーカス枠を設定する。フォーカス枠設定の有効範囲は、デジタルカメラ２００のタッチパネルがタッチされた場合と、スマートフォン３００のタッチパネルがタッチされた場合とで異なる。このように、第１の実施形態では、タッチパネルのタッチがデジタルカメラ２００で行われたかスマートフォン３００で行われたかに応じた処理が行われる。
【００８２】
なお、リモート撮影の場合であっても、デジタルカメラ２００が部分領域を選択するタッチ操作の有効範囲を予め設定しておくことも可能である。この場合、デジタルカメラ２００は通常撮影時の有効範囲と、それとは異なるリモート撮影時の有効範囲とを予め設定することとなる。そしてデジタルカメラ２００は、Ｓ６８２とＳ６８３の間においてタッチ座標が有効範囲内か否かを判断し、その結果に基づきＳ６８３を実行するか否かを決定する。
【００８３】
［第２の実施形態］
第１の実施形態では、通常撮影モードにおけるフォーカス枠設定の有効範囲５０５（図５参照）は、デジタルカメラ２００によって予め設定されていた。これに対し、第２の実施形態では、デジタルカメラ２００が、ライブビュー画像に重畳表示されるアイコンの位置に応じて有効範囲５０５を変化させる構成について説明する。これにより、アイコンの位置が動的に変化する場合でも、フォーカス枠を適切に設定することが可能となる。
【００８４】
なお、第２の実施形態において、デジタルカメラ２００及びスマートフォン３００の基本的な構成は、第１の実施形態と同様である。以下、主に第１の実施形態と異なる点について説明する。
【００８５】
図９は、第２の実施形態に係る、デジタルカメラ２００が実行する通常撮影処理を示すフローチャートである。図９において、図４と同一又は同様の処理が行われるステップには同一の符号を付す。なお、本フローチャートに示す各ステップの処理は、特に断らない限り、デジタルカメラ２００の制御部２０１が入力信号やプログラムに従い、デジタルカメラ２００の各部を制御することにより実現される。本フローチャートの処理は、ユーザが電源ボタン操作などによりデジタルカメラ２００に対して起動を指示したことに応じて開始される。
【００８６】
Ｓ９０６で、制御部２０１は、Ｓ４０５において取得したタッチ座標がタッチ可能（選択可能）なアイコン（機能アイコン）内か否かを判定する。図５の例では、アイコン５０２及び５０３は機能アイコンであるが、アイコン５０４は、タッチ不可能（選択不可能）なので機能アイコンではない。タッチ座標が機能アイコン内である場合、制御部２０１は処理をＳ４０９に進める。タッチ座標が機能アイコン内でない場合、制御部２０１は処理をＳ４０７に進める。
【００８７】
このように、本実施形態では、タッチ座標が機能アイコン内でない場合に、フォーカス枠の設定及び表示が行われる。ここでは「有効範囲」という表現が使用されていないが、Ｓ９０６の処理は、実質的に、機能アイコンが存在しない領域（即ち、機能アイコンの表示領域以外の領域）が有効範囲であるということを意味している。
【００８８】
なお、第２の実施形態における有効範囲は、機能アイコンの位置と完全に一致している必要はない。例えば、制御部２０１は、機能アイコンの近傍の領域も有効範囲外として扱ってもよい。この場合、制御部２０１は、図９ではなく図４のフローチャートに従って動作することができる。即ち、制御部２０１は、Ｓ４０６において、機能アイコンの位置に基づいて有効範囲を決定し、タッチ座標が有効範囲内であるか否かを判定する。
【００８９】
また、制御部２０１は、機能アイコンだけではなく、タッチしても機能が発動しないアイコン（図５のアイコン５０４など）の領域も有効範囲外として扱ってもよい。即ち、制御部２０１は、有効範囲の決定に際して、機能アイコンでないアイコンを考慮してもよいし、考慮しなくてもよい。また、制御部２０１は、アイコンだけでなく、例えば表示部２０６において文字が表示される領域も有効範囲外として扱ってもよい。一般化すると、制御部２０１は、図４のＳ４０６において、アイコンや文字などの補助画像の表示レイアウトに応じて有効範囲を決定し、タッチ座標が有効範囲内であるか否かを判定することができる。
【００９０】
以上説明したように、第２の実施形態によれば、ライブビュー画像に重畳表示される補助画像の表示レイアウトに応じて、タッチ操作によるフォーカス枠設定の有効範囲が決定される。これにより、より直感的なフォーカス枠設定が可能になる。
【００９１】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９２】
２００…デジタルカメラ、２０１…制御部、２０２…撮像部、２０３…不揮発性メモリ、２０４…作業用メモリ、２０５…操作部、２０６…表示部、２１０…記録媒体、２１１…接続部、３００…スマートフォン、３１１…接続部
【図１】
0006415286.tif 000002
【図２】
0006415286.tif 000003
【図３】
0006415286.tif 000004
【図４】
0006415286.tif 000005
【図５】
0006415286.tif 000006
【図６Ａ】
0006415286.tif 000007
【図６Ｂ】
0006415286.tif 000008
【図７】
0006415286.tif 000009
【図８】
0006415286.tif 000010
【図９】
0006415286.tif 000011